(57)【要約】【課題】２点の基地局からの距離を利用して移動体通信装置の位置を特定し、その移動体通信装置を探索するための誘導を行う。【解決手段】応答信号解析部１３は、照会信号発信部１１が出力した照会信号に対する応答信号を受信して携帯電話機を検出し、応答信号の受信強度から検出された携帯電話機までの距離を算出する。基地局間通信部１５は、固定基地局から、固定基地局の位置及び固定基地局から携帯電話機までの距離を受信する。位置推定部１７は、移動基地局１０と固定基地局から携帯電話機までの距離を利用して、その携帯電話機の位置を推定する。推定された位置へのナビゲーション画面が表示装置１３０に表示される。【選択図】図２
2008252388.tif 000002
【特許請求の範囲】
【請求項１】
第１の基地局と第２の基地局とを備え、移動体通信装置の位置へ誘導するためのナビゲーションシステムであって、
前記第１の基地局は、
移動体通信装置を探索するための照会信号を出力して、前記照会信号に応答した移動体通信装置から識別情報を含む応答信号を受信することによって、移動体通信装置を検出する手段と、
前記受信した応答信号の受信強度から、検出された移動体通信装置までの距離を算出する手段と、
前記第１の基地局の位置を示す位置データと、前記第１の基地局が検出した移動体通信装置の識別情報と、前記第１の基地局から該第１の基地局が検出した移動体通信装置までの距離を示す距離データとを含む第１の基地局情報を出力する手段と、を備え、
前記第２の基地局は、
移動体通信装置を探索するための照会信号を出力して、前記照会信号に応答した移動体通信装置から識別情報を含む応答信号を受信することによって、移動体通信装置を検出する手段と、
前記受信した応答信号の受信強度から、検出された移動体通信装置までの距離を算出する手段と、
前記第２の基地局の位置を特定する手段と、
前記第１の基地局から、前記第１の基地局情報を受信する手段と、
前記第１及び第２の基地局のいずれもが検出した移動体通信装置のうちの一つである対象移動体通信装置の前記第１の基地局からの距離及び前記第２の基地局からの距離と、前記第１の基地局の位置及び前記第２の基地局の位置とに基づいて、前記第２の基地局に対する前記対象移動体通信装置の相対位置を推定する手段と、
前記推定手段によって推定された前記対象移動体通信装置の相対位置に基づいて、前記対象移動体通信装置の位置へ誘導するためのナビゲーション手段と、を備えるナビゲーションシステム。
【請求項２】
前記ナビゲーション手段は、表示装置を備え、前記表示装置に前記推定された前記対象移動体通信装置の相対位置に従って、前記第２の基地局及び前記対象移動体通信装置を少なくとも含む地図を表示するとともに、前記表示装置に前記対象移動体通信装置の応答信号の受信強度を示す表示を行い、当該受信強度を示す表示は、前記対象移動体通信装置の応答信号の受信強度に応じて変動することを特徴とする請求項１記載のナビゲーションシステム。
【請求項３】
移動体通信装置を探索するための照会信号を出力して、前記照会信号に応答した移動体通信装置から識別情報を含む応答信号を受信することによって、移動体通信装置を検出する手段と、
前記受信した応答信号の受信強度から、検出された移動体通信装置までの距離を算出する距離算出手段と、
自己の位置を特定する手段と、
他の検出装置から、前記検出装置の位置を示す位置データと、前記検出装置が検出した移動体通信装置の識別情報と、前記検出装置から該検出装置が検出した移動体通信装置までの距離を示す距離データとを取得する手段と、
自己及び前記検出装置のいずれもが検出した移動体通信装置のうちの一つである対象移動体通信装置の自己からの距離及び前記検出装置からの距離と、自己の位置及び前記検出装置の位置とに基づいて、自己に対する前記対象移動体通信装置の相対位置を推定する手段と、
前記推定手段によって推定された自己に対する前記対象移動体通信装置の相対位置に基づいて、前記対象移動体通信装置の位置へ誘導するためのナビゲーション手段と、を備える可搬型基地局装置。
【請求項４】
可搬型基地局装置を用いた移動体通信装置探索のためのナビゲーション方法であって、
移動体通信装置を探索するための照会信号を出力して、前記照会信号に応答した移動体通信装置から識別情報を含む応答信号を受信することによって、移動体通信装置を検出するステップと、
前記受信した応答信号の受信強度から、検出された移動体通信装置までの距離を算出するステップと、
前記可搬型基地局装置の位置を特定するステップと、
他の検出装置から、前記検出装置の位置を示す位置データと、前記検出装置が検出した移動体通信装置の識別情報と、前記検出装置から該検出装置が検出した移動体通信装置までの距離を示す距離データとを取得するステップと、
前記可搬型基地局装置及び前記検出装置のいずれもが検出した移動体通信装置のうちの一つである対象移動体通信装置の前記可搬型基地局装置からの距離及び前記検出装置からの距離と、前記可搬型基地局装置の位置及び前記検出装置の位置とに基づいて、前記可搬型基地局装置に対する前記対象移動体通信装置の相対位置を推定するステップと、
前記推定された前記可搬型基地局装置に対する前記対象移動体通信装置の相対位置に基づいて、前記対象移動体通信装置の位置へ誘導するステップと、を有する移動体通信装置探索のためのナビゲーション方法。
【請求項５】
可搬型基地局装置のためのコンピュータプログラムであって、
移動体通信装置を探索するための照会信号を出力して、前記照会信号に応答した移動体通信装置から識別情報を含む応答信号を受信することによって、移動体通信装置を検出するステップと、
前記受信した応答信号の受信強度から、検出された移動体通信装置までの距離を算出するステップと、
該可搬型基地局装置の位置を特定するステップ手段と、
移動体通信装置の検出装置から、前記検出装置の位置を示す位置データと、前記検出装置が検出した移動体通信装置の識別情報と、前記検出装置から該検出装置が検出した移動体通信装置までの距離を示す距離データとを取得するステップと、
該可搬型基地局装置及び前記検出装置のいずれもが検出した移動体通信装置のうちの一つである対象移動体通信装置の該可搬型基地局装置からの距離及び前記検出装置からの距離と、該可搬型基地局装置の位置及び前記検出装置の位置とに基づいて、該可搬型基地局装置に対する前記対象移動体通信装置の相対位置を推定するステップと、
前記推定された該可搬型基地局装置に対する前記対象移動体通信装置の相対位置に基づいて、前記対象移動体通信装置の位置へ誘導するステップとを可搬型基地局装置に実行させるコンピュータプログラム。
【発明の詳細な説明】
【技術分野】
【０００１】
本発明は、移動体通信装置の基地局が移動体通信装置から受信する信号の受信強度から算出した距離を用いて、その移動体通信装置を探索するための技術に関し、特に２点の基地局からの距離を利用してその移動体通信装置を探索するためのナビゲーションを行う技術に関する。
【背景技術】
【０００２】
従来、移動体通信装置の代表例である携帯電話機が発信する信号を、携帯電話機の基地局が受信した信号を用いて、その携帯電話機の位置を特定する技術が知られている。例えば、特許文献１の技術では、まず、３地点の基地局が同一の携帯電話機が発信する信号を受信し、その信号の受信強度に基づいて、信号を受信した各基地局と携帯電話機との距離を算出する。そして、基地局がある３地点を中心として、それぞれの距離を半径とする円を描いたときの交点を、その携帯電話機が存在する位置として特定している。
【特許文献１】特開平７−３８９５１号公報
【発明の開示】
【発明が解決しようとする課題】
【０００３】
しかしながら、特許文献１の技術では、常に３つの基地局からの距離がわからないと携帯電話機の位置を特定できない。
【０００４】
また、３つの基地局からの距離がわかった場合であっても、基地局がある３地点を中心として、それぞれの距離を半径とする円を描いたときに、その円が１点で交わらないときは、携帯電話機の位置を特定できない。これは、障害物の存在などの理由により、基地局が受信する信号の強度が弱められてしまうような場合に起こりうる。
【０００５】
特に、大規模災害発生時に、がれきに埋もれてしまった被災者を探索するために、携帯電話機の位置を特定する場合には、これが大きな問題となる。つまり、災害発生時には、建物の倒壊などの影響で、基地局が受信する信号は、実際の距離以上にその受信強度が弱くなることが予想される。
【０００６】
そこで、本発明の目的は、２点の基地局からの距離を利用して移動体通信装置の位置を特定し、その移動体通信装置を探索するための誘導を行うことである。
【課題を解決するための手段】
【０００７】
本発明の一実施態様に従うナビゲーションシステムは、第１の基地局と第２の基地局とを備え、移動体通信装置の位置へ誘導する。前記第１の基地局は、移動体通信装置を探索するための照会信号を出力して、前記照会信号に応答した移動体通信装置から識別情報を含む応答信号を受信することによって、移動体通信装置を検出する手段と、前記受信した応答信号の受信強度から、検出された移動体通信装置までの距離を算出する手段と、前記第１の基地局の位置を示す位置データと、前記第１の基地局が検出した移動体通信装置の識別情報と、前記第１の基地局から前記第１の基地局が検出した移動体通信装置までの距離を示す距離データとを含む第１の基地局情報を出力する手段と、を備える。前記第２の基地局は、移動体通信装置を探索するための照会信号を出力して、前記照会信号に応答した移動体通信装置から識別情報を含む応答信号を受信することによって、移動体通信装置を検出する手段と、前記受信した応答信号の受信強度から、検出された移動体通信装置までの距離を算出する手段と、前記第２の基地局の位置を特定する手段と、前記第１の基地局から、前記第１の基地局情報を受信する手段と、前記第１及び第２の基地局のいずれもが検出した移動体通信装置のうちの一つである対象移動体通信装置の前記第１の基地局からの距離及び前記第２の基地局からの距離と、前記第１の基地局の位置及び前記第２の基地局の位置とに基づいて、前記第２の基地局に対する前記対象移動体通信装置の相対位置を推定する手段と、前記推定手段によって推定された前記対象移動体通信装置の相対位置に基づいて、前記対象移動体通信装置の位置へ誘導するためのナビゲーション手段と、を備える。
【０００８】
好適な実施形態では、前記ナビゲーション手段は、表示装置を備え、前記表示装置に前記推定された前記対象移動体通信装置の相対位置に従って、前記第２の基地局及び前記対象移動体通信装置を少なくとも含む地図を表示するとともに、前記表示装置に前記対象移動体通信装置の応答信号の受信強度を示す表示を行い、当該受信強度を示す表示は、前記対象移動体通信装置の応答信号の受信強度に応じて変動するようにしてもよい。
【０００９】
本発明の一実施態様に従う可搬型基地局装置は、移動体通信装置を探索するための照会信号を出力して、前記照会信号に応答した移動体通信装置から識別情報を含む応答信号を受信することによって、移動体通信装置を検出する手段と、前記受信した応答信号の受信強度から、検出された移動体通信装置までの距離を算出する距離算出手段と、自己の位置を特定する手段と、他の検出装置から、前記検出装置の位置を示す位置データと、前記検出装置が検出した移動体通信装置の識別情報と、前記検出装置から該検出装置が検出した移動体通信装置までの距離を示す距離データとを取得する手段と、自己及び前記検出装置のいずれもが検出した移動体通信装置のうちの一つである対象移動体通信装置の自己からの距離及び前記検出装置からの距離と、自己の位置及び前記検出装置の位置とに基づいて、自己に対する前記対象移動体通信装置の相対位置を推定する手段と、前記推定手段によって推定された自己に対する前記対象移動体通信装置の相対位置に基づいて、前記対象移動体通信装置の位置へ誘導するためのナビゲーション手段と、を備える。
【発明を実施するための最良の形態】
【００１０】
以下、本発明の一実施形態に係る、移動体通信装置の探索システムについて、図面を参照して説明する。本実施形態では、探索システムが探索する対象が移動体通信装置の代表例である携帯電話機である場合の例について説明するが、携帯電話機以外の移動体通信装置の探索にも適用できる。さらに、本実施形態に係る移動体通信装置の探索システムは、例えば、災害発生時に被災者が携帯している携帯電話機を探索して、被災者を救出する目的にも利用できる。
【００１１】
図１は、本実施形態の係る携帯電話機の探索システムの全体構成図である。
【００１２】
本システムは、同図に示すように、少なくとも２つの基地局１０，３０を備え、各基地局１０，３０は、それぞれ、自らのセル１，３内の携帯電話機と通信を行う。また、本システムは、２つの基地局１０，３０同士が通信可能である。２つの基地局１０，３０は、任意の通信方法で通信を行うことができ、例えば中継装置を介して通信してもよい。
【００１３】
ここで、基地局１０は、持ち運び可能な可搬型の移動基地局であり、基地局３０は、地面に対して固定されている固定基地局である。基地局３０は、移動基地局であってもよい。また、図１では、移動基地局１０及び固定基地局３０が、それぞれ一つずつの場合の例示をしているが、移動基地局１０及び固定基地局３０は、それぞれ複数あってもよい。
【００１４】
図１において、移動基地局１０のセル１と、固定基地局３０のセル３とが重なっている領域がある。そして、このようにセル１，３が形成されている地域に、携帯電話機２，２，・・・が存在する。
【００１５】
セル１，３内の各携帯電話機２，２，・・・は、それぞれの基地局１０，３０からの照会信号を受信すると、これに対する応答信号を出力する。この応答信号には、少なくとも、各携帯電話機２，２，・・・の識別情報を含む。移動基地局１０及び固定基地局３０の双方から照会信号を受信した携帯電話機２，２，・・・は、いずれの場合でもそれぞれの照会信号に対して応答信号を出力する。
【００１６】
移動基地局１０及び固定基地局３０は、いずれも例えば携帯電話機２，２，・・・と通信する通信装置を備えたコンピュータシステムにより構成され、以下に説明する移動基地局１０及び固定基地局３０内の個々の構成要素または機能は、例えば、コンピュータプログラムを実行することにより実現される。
【００１７】
図２は、移動基地局１０の構成を示す。
【００１８】
移動基地局１０は、送信アンテナ１１０及び受信アンテナ１２０を備え、携帯電話機２，２，・・・と無線通信を行う。また、移動基地局１０は、ユーザインタフェースのための表示装置１３０と、ＧＰＳ（Ｇｌｏｂａｌ  Ｐｏｓｉｔｉｏｎｉｎｇ  Ｓｙｓｔｅｍ）信号を受信するＧＰＳアンテナ１６０を備える。
【００１９】
移動基地局１０は、さらに、送信アンテナ１１０から出力される照会信号を生成する照会信号発信部１１と、受信アンテナ１２０が受信した応答信号を解析する応答信号解析部１３と、応答信号解析部１３による解析結果に基づく情報を記憶するセル内端末情報記憶部１４０と、ＧＰＳアンテナ１６０が受信したＧＰＳ信号を処理して、移動基地局１０の現在の緯度及び経度を特定するＧＰＳ処理部１６と、固定基地局３０と通信を行う基地局間通信部１５と、固定基地局３０から送られてきた情報を記憶する固定基地局情報記憶部１５０と、探索対象の携帯電話機（以下、探索対象端末と称する）を特定する探索対象端末抽出部１４と、探索対象端末の位置を推定する位置推定部１７と、探索対象端末の位置へと誘導するためのナビゲーション画面を表示する表示制御部１８とを備える。
【００２０】
照会信号発信部１１は、定期的または不定期に携帯電話機２，２，・・・に対する照会信号を生成する。ここで生成された照会信号は、送信アンテナ１１０から電波として出力される。
【００２１】
受信アンテナ１２０は、照会信号を受信した携帯電話機２が出力する応答信号の電波を受信する。応答信号には、各携帯電話機２，２，・・・の識別情報として電話番号が含まれている（各携帯電話機２，２，・・・を識別する情報であれば、電話番号に限定されないことはいうまでもない。）。
【００２２】
応答信号解析部１３は、受信アンテナ１２０が受信した、各携帯電話機２，２，・・・が出力した応答信号を解析し、セル内端末情報を生成する。例えば、応答信号解析部１３は、応答信号に含まれている情報を抽出して各携帯電話機２，２，・・・を識別するとともに、応答信号の受信強度に基づいて、移動基地局１０から各携帯電話機２，２，・・・までの距離を算出する。ここで生成されたセル内端末情報は、セル内端末情報記憶部１４０に記憶される。
【００２３】
図３は、セル内端末情報記憶部１４０のデータ構造の一例を示す。すなわち、セル内端末情報記憶部１４０は、同図に示すように、応答信号に含まれていた携帯電話機２，２，・・・の電話番号１４１と、移動基地局１０から各携帯電話機２，２，・・までの距離１４２と、応答信号の受信時刻１４３とをデータ項目として有する。
【００２４】
基地局間通信部１５は、固定基地局３０から送られてくる固定基地局情報を受信して、固定基地局情報記憶部１５０に格納する。固定基地局３０が複数あるときは、基地局間通信部１５は、それぞれの固定基地局３０から固定基地局情報を収集する。
【００２５】
図４は、固定基地局情報記憶部１５０のデータ構造の一例を示す。すなわち、固定基地局情報記憶部１５０に格納される固定基地局情報には、固定基地局３０の位置情報（緯度及び経度）１５１と、固定基地局３０のセル３内の携帯電話機２，２，・・・の電話番号１５２と、携帯電話機２，２，・・・の固定基地局３０からの距離１５３とが含まれる。
【００２６】
探索対象端末抽出部１４は、移動基地局１０のセル１内であり、かつ固定基地局３０のセル３内に存在する携帯電話機２，２，・・・の中から、探索対象となる探索対象端末を一つ抽出する。例えば、探索対象端末抽出部１４は、セル内端末情報記憶部１４０のセル内端末情報で、最も移動基地局からの距離１４２が近い携帯電話機から順に、電話番号１４１，１５２をキーにして、固定基地局情報記憶部１５０にもセル内端末情報が記憶されている一台の携帯電話機を抽出して、探索対象端末とする。
【００２７】
なお、探索対象端末が複数の固定基地局３０の各セル３に属しているときは、以下の処理では、固定基地局からの距離１５３が近い固定基地局３０のセル内端末情報が利用される。
【００２８】
位置推定部１７は、探索対象端末抽出部１４で抽出された探索対象端末の位置を推定する。例えば、位置推定部１７は、移動基地局１０と固定基地局３０との相対的な位置関係と、移動基地局からの距離１４２と固定基地局からの距離１５３とに基づいて、探索対象端末の移動基地局１０に対する相対位置を推定する。
【００２９】
位置推定部１７は、例えば、図５に示すような作図法に従って、探索対象端末Ｔの位置を推定する。すなわち、同図に示すように、移動基地局１０と固定基地局３０の位置から、互いの相対的な位置関係を定めて、それぞれ、移動基地局Ｏ１及び固定基地局Ｏ２をプロットする。そして、移動基地局Ｏ１から、移動基地局からの距離１４２に相当する半径ｒ１の円を描く。同様に、固定基地局Ｏ２を中心として固定基地局からの距離１５３に相当するｒ２の円を描く。そして、これらの円の交点Ａ，Ｂが探索対象端末Ｔの存在する候補地点となる。そこで、位置推定部１７は、候補地点ＡまたはＢのいずれか一方を探索対象端末Ｔの位置と推定する。
【００３０】
位置推定部１７がいずれの候補地点を選択するかは任意であるが、例えば、移動基地局１０及び固定基地局３０以外の第３の基地局からの距離情報が得られるときは、これを参酌して選択してもよいし、あるいは、移動基地局１０が指向性をもって照会信号を発信することができれば、その情報を用いてもよい。
【００３１】
また、位置推定部１７は、候補地点Ａ，Ｂのうち、例えば交点Ａを探索対象端末Ｔの位置と推定した後、以下のタイミングで探索対象端末Ｔの位置を他方の候補地点Ｂへ切り替えるようにしてもよい。例えば、後述するナビゲーションに従って、推定された探索対象端末Ｔの位置へ向かって、ユーザが移動基地局１０とともに移動すると、移動基地局１０から探索対象端末Ｔまでの距離が変動するので、応答信号解析部１３が受信する探索対象端末Ｔからの応答信号強度も変動する。つまり、移動基地局１０が探索対象端末Ｔへ近づいているときは、応答信号の受信強度が強くなるはずである。しかし、誤った方向へ移動したときは、応答信号の受信強度は弱くなる。そこで、移動基地局１０が移動することによって、かえって探索対象端末Ｔから離れてしまっていることが検出されると、位置推定部１７が上述の切り替えを行う。
【００３２】
表示制御部１８は、図５に示すようなナビゲーション画面５００を表示装置１３０に表示させる。このナビゲーション画面５００は、地図領域５１０と、探索対象端末Ｔからの応答信号の受信強度を示す強度メータ５２０と、探索対象端末の強制切り替えボタン５３０とが表示されている。
【００３３】
地図領域５１０には、移動基地局Ｏ１及び固定基地局Ｏ２が、互いの位置情報に基づいて定まる相対的な位置に従って、表示される。さらに、地図領域５１０には、移動基地局Ｏ１を中心として移動基地局Ｏ１からの距離１４２に相当する半径ｒ１の円Ｃ１と、固定基地局Ｏ２を中心として固定基地局Ｏ２からの距離１５３に相当するｒ２の円Ｃ２とが描かれている。ここでは、円Ｃ１とＣ２の交点Ａ、Ｂのうち、Ａに探索対象端末Ｔが存在するものと推定されているので、Ａへ誘導するための矢印Ｋが、さらに表示されている。
【００３４】
強度メータ５２０は、探索対象端末Ｔからの応答信号の受信強度に応じて、リアルタイムに変動するようにしてもよい。強度メータ５２０は、探索対象端末Ｔからの応答信号の受信強度を示す手法の一例であって、これ以外の方法で探索対象端末Ｔからの応答信号の受信強度を示してもよい。例えば、探索対象端末Ｔからの応答信号の受信強度に応じてナビゲーション画面５００の中のいずれかの部分の表示色が変動するなど、ナビゲーション画面５００の表示態様を変動させてもよい。
【００３５】
これにより、ユーザは、矢印Ｋの方向へ移動基地局１０を移動させたときに、応答信号の受信強度の変化を知ることができる。従って、矢印Ｋの方向へ移動基地局１０を移動させたにもかかわらず、応答信号の受信強度が減少し続けるときは、矢印Ｋの方向が誤りである可能性が高い。このとき、ユーザが探索対象端末の強制切り替えボタン５３０を押すと、位置推定部１７が上述の探索対象端末の切り替え処理を強制的に行うようにしてもよい。
【００３６】
なお、表示制御部１８は、移動基地局１０の移動に伴って、地図領域５１０に表示される地図もリアルタイムに更新するようにしてもよい。
【００３７】
図６は、固定基地局３０の構成を示す。固定基地局３０は、少なくとも以下の機能を備えた携帯電話機の位置検出装置であってもよい。
【００３８】
固定基地局３０も、移動基地局１０と同様に、送信アンテナ３１０及び受信アンテナ３２０を備え、携帯電話機２，２，・・・と無線通信を行う。
【００３９】
さらに、固定基地局３０は、送信アンテナ３１０から出力される照会信号を生成する照会信号発信部３１と、受信アンテナ３２０が受信した応答信号を解析する応答信号解析部３３と、応答信号解析部３３による解析結果に基づく情報を記憶するセル内端末情報記憶部３４０と、移動基地局１０と通信を行う基地局間通信部３５と、固定基地局３０の位置情報（緯度、経度）を記憶した基地局位置情報記憶部３６とを備える。
【００４０】
照会信号発信部３１及び応答信号解析部３３は、移動基地局１０の照会信号発信部１１及び応答信号解析部１３と同様の機能を備える。さらに、セル内端末情報記憶部３４０は、移動基地局１０のセル内端末情報記憶部１４０と同様のデータ項目を有し、固定基地局３０のセル３内の携帯電話機に関する情報が記憶される。
【００４１】
基地局位置情報記憶部３６は、固定基地局３０が位置する地点の緯度及び経度が記憶されている。
【００４２】
基地局間通信部３５は、基地局位置情報記憶部３６に記憶されている固定基地局３０の位置情報、及びセル内端末情報記憶部３４０に記憶されている固定基地局３０についてのセル３内端末情報を移動基地局１０へ送信する。
【００４３】
なお、固定基地局３０は、少なくとも上記の機能を備えたものであれば、移動基地局１０と同様の可搬式の位置検出装置であってもよい。
【００４４】
図７は、上述した携帯電話機の探索システムの処理手順を示すフローチャートである。これに従って、本システムの処理手順を説明する。
【００４５】
まず、移動基地局１０では、照会信号発信部１１が生成した照会信号を送信アンテナ１１０から発信して、セル１内の携帯電話機２，２，・・・がこれに応答して発信した応答信号を受信アンテナ１２０で受信する。応答信号解析部１３が応答信号を解析して、セル１のセル内端末情報を生成し、セル内端末情報記憶部１４０に格納する。
【００４６】
また、固定基地局３０も同様に、照会信号発信部３１が生成した照会信号を送信アンテナ３１０から発信して、セル３内の携帯電話機２，２，・・・がこれに応答して発信した応答信号を受信アンテナ３２０で受信する。応答信号解析部３３が応答信号を解析して、セル３のセル内端末情報を生成し、セル内端末情報記憶部３４０に格納する（Ｓ１１）。
【００４７】
次に、固定基地局３０の基地局間通信部３５が、セル内端末情報記憶部３４０に記憶されているセル３のセル内端末情報及び固定基地局３０の位置情報を移動基地局１０へ送る。移動基地局１０では、基地局間通信部１５がこれを受信して、固定基地局情報記憶部１５０に格納する（Ｓ１２）。
【００４８】
なお、これ以降も移動基地局１０及び固定基地局３０が、断続的にセル内端末情報を収集し、移動基地局１０が固定基地局情報を断続的に取得する。
【００４９】
探索対象端末抽出部１４は、セル内端末情報記憶部１４０及び固定基地局情報記憶部１５０を参照して、セル１及びセル３が重なる地域にいる携帯電話機２の中から、移動基地局１０に最も近いものを探索対象端末として抽出する（Ｓ１３）。
【００５０】
次に、位置推定部１７は、移動基地局１０に対する固定基地局３０の相対的な位置関係と、探索対象端末の移動基地局からの距離１４２及び固定基地局からの距離１５３とに基づいて、２つの探索対象端末の候補地点のうちの一方を、探索対象端末の位置と推定する（Ｓ１４）。
【００５１】
表示制御部１８は、移動基地局１０の現在位置から探索対象端末の推定された位置へ向かうためのナビゲーション画面５００を表示装置１３０に表示させる（Ｓ１５）。
【００５２】
これにより、ナビゲーション画面５００を見たユーザは、移動基地局１０を持って探索対象端末を探すために移動を開始することができる。
【００５３】
このときに、移動基地局１０が移動したことによって応答信号の受信強度が所定レベル以上減少すると（Ｓ１６：Ｙｅｓ）、位置推定部１７は、探索対象端末の位置を、２つの候補地点のうちの前回の処理で選択しなかった方に切り替える（Ｓ１７）。そして、ステップＳ１４へ戻り、位置推定部１７が新たな探索対象端末の位置を推定して、それ以降の処理を行う。
【００５４】
一方で、移動基地局１０が移動しても、応答信号の受信強度が所定レベル以上減少しないときは（Ｓ１６：Ｎｏ）、探索が完了するまでの間、ステップＳ１８以降が繰り返される。
【００５５】
本実施形態によれば、移動基地局１０によるナビゲーションを受けながら、携帯電話機を見つけだすことができる。つまり、本実施形態に係るシステムは、大規模災害発生時などに、携帯電話機を所持したままがれきに埋もれた被災者の救出に役立てることができる。
【００５６】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００５７】
【図１】本発明の一実施形態に係る携帯電話機の探索システムの全体構成図である。
【図２】移動基地局１０の構成を示す。
【図３】セル内端末情報記憶部１４０のデータ構造の一例を示す。
【図４】固定基地局情報記憶部１５０のデータ構造の一例を示す。
【図５】ナビゲーション画面５００の一例を示す。
【図６】固定基地局３０の構成を示す。
【図７】携帯電話機探索の処理手順を示すフローチャートである。
【符号の説明】
【００５８】
１，３    セル
２，２，・・・      携帯電話機
１０       移動基地局
１１，３１           照会信号発信部
１３，３３           応答信号解析部
１４       探索対象端末抽出部
１５，３５           基地局間通信部
１６       ＧＰＳ処理部
１７       位置推定部
１８       表示制御部
３０       固定基地局
３６       基地局位置情報記憶部
１４０，３４０    セル内端末情報記憶部
１５０    固定基地局情報記憶部
【図１】
2008252388.tif 000003
【図２】
2008252388.tif 000004
【図３】
2008252388.tif 000005
【図４】
2008252388.tif 000006
【図５】
2008252388.tif 000007
【図６】
2008252388.tif 000008
【図７】
2008252388.tif 000009